(57)【要約】【課題】表示部のつなぎ目で生じる画像分断による画像の見にくさを回避できる表示装置を提供する。【解決手段】表示部１０１は、画像表示などを行うもので、それぞれ独立した複数の画像表示器からなる。加速度検出部１０２は、表示装置１００のＸＹ平面上における移動を検出し、表示装置１００の移動による加速度データを生成する。記憶部１０４は、表示部１０１に表示するための画像データや、音声出力部１０３から出力するための音声データ、各種コンテンツデータなどを記憶する。制御部１０８は、記憶部１０４に格納された制御プログラムに基づいて動作し、表示装置１００全体の制御を行う。また、加速度検出部１０２が生成した加速度データから表示装置１００の移動量を算出する演算機能を併せ持つ。【選択図】図１
2007219313.tif 000002
【特許請求の範囲】
【請求項１】
複数の画像表示器からなる折り畳み可能な表示手段と、
画像データを記憶する記憶手段と、
前記表示手段の移動を検出する移動検出手段と、
制御手段と、を備え、
前記制御手段は、
前記移動検出手段に表示手段の移動が検出された場合は、前記移動検出手段の検出出力に基づいて、前記表示手段に表示させる画像の表示範囲を変更することを特徴とする表示装置。
【請求項２】
ユーザからの入力を検出する入力検出手段をさらに備え、
前記制御手段は、
前記入力検出手段が入力を検出している期間において、前記移動検出手段の出力を有効にすることを特徴とする請求項１に記載の表示装置。
【請求項３】
前記制御手段は、
前記入力検出手段が入力を検出している期間の前記移動検出手段の出力に基づき前記表示範囲を変更し、
前記入力検出手段から入力が検出されなくなった時点の表示範囲を固定することを特徴とする請求項２に記載の表示装置。
【請求項４】
前記移動検出手段は加速度センサであり、
前記制御手段は、
前記加速度センサの出力に基づいて、移動量及び移動方向を演算し、
前記移動量及び移動方向に基づいて、前記表示範囲を変更することを特徴とする請求項１〜３のいずれか一つに記載の表示装置。
【請求項５】
前記表示手段に表示させる画像の表示範囲より広い範囲の画像を描画する描画メモリをさらに備え、
前記制御手段は、
前記描画メモリから前記表示範囲の画像を取得し、
前記移動検出手段に表示手段の移動が検出された場合は、前記移動検出手段の検出出力に基づいて、前記表示範囲の位置を変更することを特徴とする請求項１〜４のいずれか一つに記載の表示装置。
【請求項６】
前記表示手段を構成する複数の画像表示器のうち少なくとも一つは、前記記憶手段、前記描画メモリ、前記入力検出手段、前記移動検出手段、および前記制御手段のうちの一つ以上を備えていることを特徴とする請求項１〜５のいずれか一つに記載の表示装置。
【請求項７】
前記表示手段は、前記複数の画像表示器と、前記複数の画像表示器をそれぞれ接続しかつ各画像表示器間の接続部で山折りまたは谷折りが可能な接続部材と、を備えて構成され、前記接続部材を折り目として所定の規則性をもって折り畳むことにより、一軸方向への伸縮によって開閉自在であることを特徴とする請求項１〜６のいずれか一つに記載の表示装置。
【発明の詳細な説明】
【技術分野】
【０００１】
この発明は、複数の画像表示器を備える表示装置に関する。ただし、この発明の利用は、上述した表示装置には限られない。
【背景技術】
【０００２】
近年、情報処理技術の発達にともない、各種情報を表示するための表示装置もさまざまな形態のものが提案されている（たとえば、特許文献１，２を参照。）。
【０００３】
特許文献１に開示されている技術は、独立した複数の表示手段とこれを接続するフレキシブルジョイントとによって構成された表示装置である。この表示装置は、折り畳んで収納して小型化することができ、またそれぞれの画面に違った映像を映し出すこともできる。
【０００４】
また、特許文献２に開示されている技術は、折り畳み可能な表示手段を備えたカメラに関するものである。
【０００５】
【特許文献１】特開平９−３１１７３７号公報
【特許文献２】特開２００３−２５００７４号公報
【発明の開示】
【発明が解決しようとする課題】
【０００６】
特許文献１に開示された表示装置は、折り畳み可能であることから携帯には便利である。しかしながら、この表示装置は、独立した複数の表示手段で構成されていることから、前記表示手段のつなぎ目で画像が分断されてしまい、画像が非常に見にくいという問題が生じる。また、特許文献２に開示されている表示手段においても、同様の問題がある。
【課題を解決するための手段】
【０００７】
請求項１に記載の発明にかかる表示装置は、複数の画像表示器からなる折り畳み可能な表示手段と、画像データを記憶する記憶手段と、前記表示手段の移動を検出する移動検出手段と、制御手段と、を備え、前記制御手段は、前記移動検出手段に表示手段の移動が検出された場合は、前記移動検出手段の検出出力に基づいて、前記表示手段に表示させる画像の表示範囲を変更することを特徴とする。
【発明を実施するための最良の形態】
【０００８】
以下、添付図面を参照して、この発明にかかる表示装置の好適な実施の形態を詳細に説明する。
【０００９】
図１は、この発明の実施の形態にかかる表示装置の機能的構成を示すブロック図である。図１に示すように、この表示装置１００は、表示部１０１と、加速度検出部１０２と、音声出力部１０３と、記憶部１０４と、スイッチ部１０５と、入出力部１０６と、電源部１０７と、制御部１０８と、バスライン１０９とを備えている。
【００１０】
表示部１０１は、画像表示などを行うもので、それぞれ独立した複数の画像表示器からなる。各画像表示器は、それぞれたとえば平行四辺形、菱形、台形形状のフィルム材またはガラス基板などにより構成されている。なお、画像表示器を菱形のフィルム材またはガラス基板で構成する場合には、その菱形のフィルム材またはガラス基板を二枚の三角形のフィルム材またはガラス基板で構成してもよい。
【００１１】
移動検出手段としての加速度検出部１０２は、表示装置１００（表示手段全体）の移動量、例えばＸＹ平面上における移動を検出し、表示装置１００の移動による加速度データを生成する。加速度検出手段は２次元（ＸＹ方向）でもよいし、３次元方向（ＸＹＺ方向）でもよい。加速度検出手段に演算機能が付与されている場合は、移動量（移動距離、方向に関するデータを後述する制御部１０８へ出力する）。
【００１２】
音声出力部１０３は、表示部１０１に表示された画像などに対応する音声を出力する。
【００１３】
記憶部１０４は、表示部１０１に表示するための画像データや、音声出力部１０３から出力するための音声データ、各種コンテンツデータなどを記憶する。また、表示装置１００の制御プログラムを格納している。
【００１４】
スイッチ部１０５は、ユーザによる指示の入力を検出する。
【００１５】
入出力部１０６は、外部からの画像データや音声データを入力する。また、表示装置１００からの画像データや音声データを出力する。この入出力部１０６はライン、電磁波、光通信などによる各データの入出力に対応できるようになっている。
【００１６】
電源部１０７は、各機能部へ電流を供給する。
【００１７】
制御部１０８は、記憶部１０４に格納された制御プログラムに基づいて動作し、表示装置１００全体の制御を行う。また、制御部１０８は、加速度検出部１０２が生成した加速度データから表示装置１００の移動量を算出する演算機能を併せ持つ。加速度検出部１０２に演算機能が付与されている場合は、移動量（移動距離、移動方向に関するデータ）を加速度検出部から受取り、後述する処理を行う。
【００１８】
バスライン１０９は、各機能部をつなぐ信号制御ラインであり、各機能部間における各種信号やデータなどの伝達を行う。
【００１９】
この実施の形態の表示装置１００は、表示部１０１、音声出力部１０３、記憶部１０４、スイッチ部１０５、入出力部１０６、電源部１０７、制御部１０８、およびバスライン１０９が積層されて構成される。
【００２０】
また、表示部１０１を構成する複数の画像表示器を、各画像表示器間の接続部で山折りまたは谷折りが可能になる接続部材で接続すれば、表示部１０１を折り畳むこともできる。この場合の折り畳み方としては、いわゆるミウラ折り（商標登録）を採用すれば、一軸方向に伸縮することで容易に開閉できるので好都合である。すなわち、ミウラ折り（商標登録）を採用することで、表示部１０１の完全展開時における対向端の部分（異なる二つの部分）をもって、さっと左右に引っ張れば一瞬にして広がるし、折り畳むのも瞬時に完了させることができるようになる。
【００２１】
この実施の形態にかかる表示装置１００は、前述のように、表示部１０１が複数の独立した画像表示器で構成されている。このため表示部１０１に画像を表示した場合に、画像表示器のつなぎ目で画像が分断され、画像が見にくくなる。特に、つなぎ目付近に文字が表示されたような場合にはその判別が困難になる場合が珍しくない。
【００２２】
そこで、この表示装置１００は、表示部１０１の実際の表示エリアを含むより広い仮想空間エリアに表示可能なイメージ画像を取得する。次に、加速度検出部１０２が、表示装置１００のＸＹ平面上における移動を検出し、表示装置１００の移動による加速度データを生成する。制御部１０８が、加速度検出部１０２で生成された加速度データから表示装置１００の移動量を算出する。そして、制御部１０８で算出された移動量に対応する位置にある、仮想空間エリア内の移動表示エリアに表示するのに相当な画像をイメージ画像から取得し、移動表示エリアに表示させるべき画像を表示部１０１の表示エリアに表示させる。このようにすることで、画像分断による画像の見にくさを回避することができる。
【実施例】
【００２３】
図２は、この発明の実施例にかかる表示装置の形状を示す模式図である。この表示装置２００は、複数の平行四辺形の画像表示器２０１と、複数の台形の画像表示器２０２と、これらを接続する接続部材２０３ａ，２０３ｂ，２０４ａ，２０４ｂ，２０５と、を備えて構成される。なお、表示装置２００は、同じ形状の画像表示器のみで構成しても差し支えない。
【００２４】
平行四辺形の画像表示器２０１は、すべて同じ大きさで、フィルム材またはガラス基板により構成されている。また、台形の画像表示器２０２も、すべて同じ大きさで、フィルム材またはガラス基板により構成されている。図２に示した表示装置２００では、複数の平行四辺形の画像表示器２０１と、複数の台形の画像表示器２０２とを組み合わせて、長方形の表示画面を実現する。また、表示装置２００の周辺部に配置される画像表示器内部には、図１に示した入出力部１０６に相当する透明電極２０６が設けられている。また、接続部材２０３ａ，２０３ｂ，２０４ａ，２０４ｂ，２０５は、各画像表示器２０１，２０２に画像データ、音声データ、制御信号、および電源などを導くための導電体を備えている。したがって、各画像表示器２０１，２０２にそれぞれ異なる画像を表示することが可能になる。
【００２５】
接続部材２０３ａ，２０３ｂは、図２における縦方向に配列された、画像表示器２０１と画像表示器２０２、または画像表示器２０１同士を接続する。接続部材２０４ａ，２０４ｂは、図２における横方向に配列された、画像表示器２０１同士、または画像表示器２０２の下底同士を接続する。接続部材２０５は、横方向に配列された画像表示器２０２の上底同士を接続する。
【００２６】
ここで、接続部材２０３ａ，２０３ｂ，２０４ａ，２０４ｂ，２０５を蝶番や樹脂材質により構成すれば、接続部材２０３ａ，２０３ｂ，２０４ａ，２０４ｂ，２０５を折り目として表示装置２００を折り畳むことができる。このときの折り畳み方には、いわゆるミウラ折りを採用するとよい。このようにすることで、山折りの部分と谷折りの部分が交互になるよう折り畳むことができる。
【００２７】
すなわち、まず、表示装置２００を、接続部材２０３ａに沿って山折り、接続部材２０３ｂに沿って谷折りにする。続けて、接続部材２０４ａに沿って山折り、接続部材２０４ｂに沿って谷折りにする。さらに、接続部材２０５に沿って山折りにする。このようにすることで、例えば点２００ａ，２００ｂの部分をつまんでさっと左右に引っ張れば一瞬にして表示装置２００を広げることができる。また、その状態で、点２００ａ，２００ｂの部分をつまんで軽く押すだけで表示装置２００を折り畳むことができる。
【００２８】
次に、この表示装置２００を構成する各画像表示器の構造について説明する。
【００２９】
図３は、操作機能を備えた画像表示器の構造の一例を示す図である。この画像表示器は、基盤層３０１上に、半導体層３０２と、バスライン層３０３と、表示層３０４と、操作検出層３０５と、保護層３０６とが順次積層されて構成される。半導体層３０２は画像表示に必要なデバイスが薄型または有機半導体などのシート、フィルム形状で形成され、さらに他の画像表示器と同じ厚さを保つために形成されるダミー層を有しても良い。バスライン層３０３は、表示層３０４や操作検出層３０５などへ画像データ、音声データ、制御信号、および電流などを導く層である。この画像表示器が表示装置２００の周辺部に配置される場合には、バスライン層３０３に、図１に示した入出力部１０６に相当する透明電極が設けられる。表示層３０４は、有機ＥＬディスプレイ、液晶ディスプレイや電子ペーパなどの薄型ディスプレイなどからなり、画像などの表示を行う層である。操作検出層３０５は、図１に示したスイッチ部１０５に相当するものであり、ユーザからの入力情報を検出するためのタッチパネルからなる。したがって、ユーザが指などで保護層３０６上から操作検出層３０５を押下することにより、表示装置２００の制御を行うことができる。保護層３０６は、透明樹脂などからなり、操作検出層３０５を保護するための層である。また、表示層３０４または半導体層３０２に画像表示に用いるビデオメモリ、バッファメモリ、表示制御ＩＣなどを形成するように構成しても良い。
【００３０】
図４は、操作機能および制御機能を備えた画像表示器の構造の一例を示す図である。この画像表示器は、基盤層３０１上に、半導体層４０１と、バスライン層３０３と、表示層３０４と、操作検出層３０５と、保護層３０６とが順次積層されて構成される。半導体層４０１は、有機半導体などからなり、図１に示した加速度検出部１０２、記憶部１０４、および制御部１０８の機能を実現する。また、半導体層４０１は、図３に示したダミー半導体層３０２と同等の厚さに形成されている。この画像表示器は、半導体層４０１を備えているので、画像表示のみならず、バスライン層３０３を介して送られてきた制御信号に基づき当該画像表示器全体の制御を行うことができる。また、他の画像表示器の制御を行うこともできる。なお、この画像表示器が表示装置２００の周辺部に配置される場合には、バスライン層３０３に、図１に示した入出力部１０６に相当する透明電極が設けられる。
【００３１】
図５は、操作機能および音声出力機能を備えた画像表示器の構造の一例を示す図である。この画像表示器は、基盤層３０１上に、振動層５０１と、バスライン層３０３と、表示層３０４と、操作検出層３０５と、保護層３０６とが順次積層されて構成される。振動層５０１は、図３に示したダミー半導体層３０２と同等の厚さに形成されており、バスライン層３０３を介して送られてきた音声データを出力することができる。この振動層５０１は、いわゆるスピーカであり図１に示した音声出力部１０３に相当する。制御部１０８の制御の元、記憶部１０４から読み出された音声データに基づいて振動層５０１が振動することにより音を発生させる。なお、この画像表示器が表示装置２００の周辺部に配置される場合には、バスライン層３０３に、図１に示した入出力部１０６に相当する透明電極が設けられる。
【００３２】
図６は、操作機能および電源を備えた画像表示器の構造の一例を示す図である。この画像表示器は、基盤層３０１上に、シート電源層６０１と、バスライン層３０３と、表示層３０４と、操作検出層３０５と、保護層３０６とが順次積層されて構成される。シート電源層６０１は、図１に示した電源部１０７の機能を実現し、表示層３０４や他の画像表示器へ電流を供給するためのものである。また、シート電源層６０１は、図３に示したダミー半導体層３０２と同等の厚さに形成されている。この画像表示器は、シート電源層６０１を備えているので、他から電流の供給を受けることなく、画像の表示などを行うことができる。なお、この画像表示器が表示装置２００の周辺部に配置される場合には、バスライン層３０３に、図１に示した入出力部１０６に相当する透明電極が設けられる。
【００３３】
この実施例にかかる表示装置２００は、図３〜図６に示した画像表示器を複数接続することで実現できる。図３〜図６に示した画像表示器は、いずれも６層構造で、すべてが同じ厚さになるように構成されているので、各画像表示器を接続して表示装置２００を構成しても、装置の部分ごとに厚さが異なるといった不自然さはない。また、表示装置２００を構成する際の各画像表示器の配置位置は、表示装置としてどのような機能が要求されているかにより異なるが、図４〜図６に示した画像表示器は少なくてもそれぞれ一つは必要になる。
【００３４】
図７、図８は、表示装置２００の接続部材の構成を説明するための図である。図７に示すように、この表示装置２００は、各画像表示器が可撓性を有する接続部材で接続されている。そして、変位検出フィルム７０１が前記接続部材内部に備えられる。この変位検出フィルム７０１は、図７に示した形状から変位角度θで折り曲げられることによって図８に示したように形状が変位し、その変位量に比例した電位を発する。したがって、この変位検出フィルム７０１が発した電位の大きさを図３の制御機能を有する画像表示器の半導体層３０２に設けられた制御部でモニタリングし変化量を検出することで、その変位量を求め、画像表示器の傾き（開き具合）を検出することができる。そこで、変位検出フィルム７０１の変位量を検出し、この検出結果に基づいて電源の投入・切断を制御すれば、電源スイッチに頼らず、表示装置２００の開閉のみで電源の投入・切断を行うことができる。
【００３５】
また、３つ以上の画像表示器を有する表示装置の場合は、画像表示器間の接続部分が２つ以上あることになる。その場合、それぞれの接続部分に設けられている変位検出フィルム７０１の出力はバスラインとして機能するバスライン層３０３を介して制御機能を有する画像表示器へ伝送される。そして、制御部にて表示装置２００全体の形状的変化を検出し、表示装置２００が開いた状態か閉じられている状態かを判断することができる。
【００３６】
しかし、この表示装置２００では、画像表示器のつなぎ目である前記接続部材が画像を分断してしまい、画像が見にくくなるという問題が発生する。そこで、この問題を解決するため、後述する処理を実行する。
【００３７】
図９は、この発明の実施例にかかる表示装置における画像データの流れを説明するための図である。画像データは、一つの画像表示器の制御部（半導体層４０１）からバスライン層３０３を介してすべての画像表示器に向けて送られる。このようにすれば、表示装置２００は半導体層４０１を有する画像表示器を一つ備えていればよい。また、各画像表示器はすべてアドレスが割り振られている。各画像表示器は、受け取った画像データのなかから自らのアドレスに対応する画像データを表示する。この処理は、各画像表示器の表示層にデーコーダを備えることで実現できる。
【００３８】
具体的には、半導体層４０１に、制御部、記憶部、描画メモリが構成されており、制御部にて各機能部が制御される。制御部のコントロールにて、表示するために必要な画像データが記憶部から読み出され、描画メモリ上に画像イメージとして描画される。この描画メモリに描画される画像イメージは、表示手段に表示される画像範囲より広い範囲の画像イメージが表示される。次に、制御部は実際に表示手段に表示する表示範囲の画像を切り出す。切り出された画像データは各画像表示器（図２の２０１、２０２）の形状に合わせて編集され、バスライン層３０３を介して、各画像表示器へ配信される。
【００３９】
次に、この発明の実施例にかかる表示装置の処理について説明する。
【００４０】
図１０は、この発明の実施例にかかる画像表示装置における通常の画像表示状態を示す図である。この表示装置２００は、前述のように、複数の画像表示器を接続して構成しているため、表示装置２００の表示エリア８０１にもつなぎ目が生じる。このため、表示エリア８０１のつなぎ目で画像が分断されてしまうことがある。図１０は、表示エリア８０１のつなぎ目付近に英字の文字列「ＡＢＣＤＥ」が表示されている例を示しているが、英字「Ｂ」がちょうどつなぎ目にかかってしまっていて、判読が困難になっている。
【００４１】
そこで、この発明では、次のような手法を講じることで、その問題の解決を図っている。
【００４２】
図１１は、画像分断を回避するための対処法を説明するための図である。まず、表示装置２００では、半導体層４０１の制御機能が表示エリア８０１を含むより広い仮想空間エリア８０２に表示可能なイメージ画像を取得し、これを半導体層４０１の記憶機能に記憶させる。
【００４３】
図１０に示したような状態が発生した場合には、ユーザは表示面上から制御スイッチ８０３を押下しながら表示装置２００をＸＹ平面に沿う方向にずらしていく。制御スイッチ８０３は、図３〜図６に示した操作検出層３０５に相当する。制御スイッチ８０３が押下されると、半導体層４０１の加速度検出機能が、ただちに表示装置２００のＸＹ平面上における移動を検出し、表示装置２００の移動による加速度データを生成する。次に、半導体層４０１の演算機能が、加速度検出機能が生成した加速度データから表示装置２００の移動量を算出する。続いて、半導体層４０１の制御機能が、記憶機能に記憶されているイメージ画像から、演算機能で算出された移動量に対応する位置にある、移動表示エリア８０４に表示させる画像を取得する。
【００４４】
図１２は、移動表示エリアの表示画像の一例を示す図である。この移動表示エリア８０４の表示画像は、英字の文字列「ＡＢＣＤＥ」をつなぎ目付近から遠ざけ、見やすくなっている。なお、このとき表示される英字の文字列「ＡＢＣＤＥ」は、仮想空間エリア８０２内での位置は不変である。
【００４５】
最後に、半導体層４０１の制御機能は、移動表示エリア８０４に表示させるべき画像（図１２参照）を表示エリア８０１に表示させる。
【００４６】
ユーザは、表示エリア８０１に表示されている画像を確認し、画像分断による問題が解決されたと判断した場合は、直ちに制御スイッチ８０３の押下をやめる。制御スイッチ８０３の押下をやめると、表示エリア８０１の表示画像が固定される。このようにして、英字の文字列「ＡＢＣＤＥ」をつなぎ目付近から遠ざけ、見やすくすることができる。
【００４７】
以上のような処理を実行することにより画像分断による問題を解決することができるが、ここで、この発明の実施例にかかる表示装置の一連の処理について、フローチャートを参照しながら説明する。
【００４８】
図１３は、この発明の実施例にかかる表示装置の処理手順を示すフローチャートである。図１３に示すフローチャートにおいて、まず、制御スイッチ８０３が押下されたか否かを検出する（ステップＳ１１０１）。この処理は、半導体層４０１の制御機能が行う。ここで、制御スイッチが押下されていないことが検出された場合（ステップＳ１１０１：Ｎｏ）は、そのまま画像表示を行う（ステップＳ１１０２）。この後、ステップＳ１１０１に戻る。
【００４９】
ステップＳ１１０１において制御スイッチが押下されたことが検出された場合（ステップＳ１１０１：Ｙｅｓ）は、加速度データを生成する（ステップＳ１１０３）。この処理は、半導体層４０１の加速度検出機能が行う。
【００５０】
次に、加速度データが０か否かを検出する（ステップＳ１１０４）。この処理は、半導体層４０１の演算機能が行う。ここで、加速度データが０である場合（ステップＳ１１０４：Ｙｅｓ）は、そのまま画像表示を行う（ステップＳ１１０２）。この後、ステップＳ１１０１に戻る。
【００５１】
ステップＳ１１０４において加速度データが０でない場合（ステップＳ１１０４：Ｎｏ）は、加速度データに基づき、表示装置２００の移動量（ΔＸ，ΔＹ）を算出する（ステップＳ１１０５）。この処理は、半導体層４０１の演算機能が行う。
【００５２】
次に、移動量（ΔＸ，ΔＹ）より表示エリア８０１上での距離補正データ（Δｘ，Δｙ）を算出する（ステップＳ１１０６）。この処理は、半導体層４０１の制御機能が行う。
【００５３】
続いて、距離補正データ（Δｘ，Δｙ）に基づき表示エリア８０１上に表示する画像データを補正する（ステップＳ１１０７）。この処理は、半導体層４０１の制御機能が行う。この後、補正された画像データに基づいた画像表示を行う（ステップＳ１１０２）。この後は、再度ステップＳ１１０１の処理を行う。
【００５４】
以上説明したように、この実施例にかかる表示装置は、表示部のつなぎ目で画像が分断され、画像が見にくくなるような場合でも、実際の画像位置より所定の距離だけ移動させた位置の画像を表示させることで、画像分断による画像の見にくさを回避することができる。この表示装置は、表示部のつなぎ目付近に文字が表示されその判別が困難であるような場合に、特に優れた効果を奏する。
【図面の簡単な説明】
【００５５】
【図１】この発明の実施の形態にかかる表示装置の機能的構成を示すブロック図である。
【図２】この発明の実施例にかかる表示装置の形状を示す模式図である。
【図３】操作機能を備えた画像表示器の構造の一例を示す図である。
【図４】操作機能および制御機能を備えた画像表示器の構造の一例を示す図である。
【図５】操作機能および音声出力機能を備えた画像表示器の構造の一例を示す図である。
【図６】操作機能および電源を備えた画像表示器の構造の一例を示す図である。
【図７】表示装置の接続部材の構成を説明するための図である。
【図８】表示装置の接続部材の構成を説明するための図である。
【図９】この発明の実施例にかかる表示装置における画像データの流れを説明するための図である。
【図１０】この発明の実施例にかかる画像表示装置における通常の画像表示状態を示す図である。
【図１１】画像分断を回避するための対処法を説明するための図である。
【図１２】移動表示エリアの表示画像の一例を示す図である。
【図１３】この発明の実施例にかかる表示装置の処理手順を示すフローチャートである。
【符号の説明】
【００５６】
１００，２００  表示装置
１０１  表示部
１０２  加速度検出部
１０３  音声出力部
１０４  記憶部
１０５  スイッチ部
１０６  入出力部
１０７  電源部
１０８  制御部
１０９  バスライン
２０１，２０２  画像表示器
２０３ａ，２０３ｂ，２０４ａ，２０４ｂ，２０５  接続部材
２０６  透明電極
３０１  基盤層
３０２，４０１  半導体層
３０３  バスライン層
３０４  表示層
３０５  操作検出層
３０６  保護層
５０１  振動層
６０１  シート電源層
７０１  変位検出フィルム
８０１  表示エリア
８０２  仮想空間エリア
８０３  制御スイッチ
８０４  移動表示エリア
【図１】
2007219313.tif 000003
【図２】
2007219313.tif 000004
【図３】
2007219313.tif 000005
【図４】
2007219313.tif 000006
【図５】
2007219313.tif 000007
【図６】
2007219313.tif 000008
【図７】
2007219313.tif 000009
【図８】
2007219313.tif 000010
【図９】
2007219313.tif 000011
【図１０】
2007219313.tif 000012
【図１１】
2007219313.tif 000013
【図１２】
2007219313.tif 000014
【図１３】
2007219313.tif 000015